(57)【要約】      （修正有） 【課題】冷却装置圧縮機の動作開始時にモータが過負荷から保護され、水と雨水とを含む水分が接続部への浸入を防止でき、冷却装置圧縮機との結合時に発生する負荷の影響を軽減し、冷却装置圧縮機を安定的に作動させる冷却装置圧縮機の接続パッケージの提供。【解決手段】接続パッケージ１００Ａは、圧縮機本体に設けられた円形端子（図示せず）を介して圧縮機モータに接続される第１から第３ピン接続ポートＰＣ１からＰＣ３を有する基部１００と、基部１００の上方部分に着脱自在に結合されるカバー２００と、基部１００の第１および第２ピン接続ポートＰＣ１とＰＣ２に対応して配置された第１および第２ピンコネクタ３２５，３３５と、ＰＴＣ（正温度係数）スタータ素子３１０とを有するモータスタータ継電器素子３００と、低出力過負荷保護装置４００の反応時間を短縮するための加熱素子を有する低出力過負荷保護装置４００とを含む。【選択図】      図１Ｂ
2006147529.tif 000002
【特許請求の範囲】
【請求項１】
冷却装置圧縮機の接続パッケージにおいて、
過負荷保護装置取付区分とモータスタータ継電器素子取付区分とを含むとともに、圧縮機本体の円形端子を介して圧縮機モータに接続される第１から第３ピン接続ポートを有する基部と、
前記基部の上方部分へ着脱自在に結合されるとともに、該基部の前記過負荷保護装置取付区分と前記モータスタータ継電器素子取付区分とに対応するドーム状過負荷保護装置取付区分とドーム状モータスタータ継電器素子取付区分とを含み、該ドーム状過負荷保護装置取付区分および該ドーム状モータスタータ継電器素子取付区分の周囲に形成された端子接続のための複数のスロットを有するカバーと、
前記基部および前記カバーの前記モータスタータ継電器素子取付区分に取り付けられるとともに、該基部の前記第１および第２ピン接続ポートに対応して配置された第１および第２ピンコネクタを有するモータスタータ継電器素子と、
前記基部および前記カバーの前記過負荷保護装置取付区分に取り付けられるとともに、該基部の前記第３ピン接続ポートに対応して配置されたピンコネクタに接続される第１接続端子と、外部電源に接続される簡易コネクタに接続される第２接続端子と、低出力過負荷保護装置の反応時間を短縮するための加熱素子とを有する低出力過負荷保護装置と、
からなることを特徴とする接続パッケージ。
【請求項２】
前記基部が前記カバーへ着脱自在に結合されるように、結合突起を有する下方延出区分が該カバーの両側に設けられるとともに、該カバーの該結合突起と着脱自在に結合される結合スロットが該基部の両側に形成されることを特徴とする請求項１記載の接続パッケージ。
【請求項３】
さらに、前記カバーの前記スロットから突出する前記接続端子を保護するように該スロットの周囲に配列された保護ガイドを含むことを特徴とする請求項１または２記載の接続パッケージ。
【請求項４】
さらに、前記冷却装置圧縮機の前記本体に形成された前記円形端子に前記接続パッケージが接続される時に該冷却装置圧縮機の該本体に形成された該円形端子を保護するため、前記基部の下方部分に形成された円形端子遮蔽カバーを含むことを特徴とする請求項１または２記載の接続パッケージ。
【請求項５】
さらに、前記冷却装置圧縮機の前記本体に形成された前記円形端子に前記接続パッケージが接続される時に該冷却装置圧縮機の該本体に形成された該円形端子を保護するため、前記基部の下方部分に形成された円形端子遮蔽カバーを含むことを特徴とする請求項３記載の接続パッケージ。
【請求項６】
前記カバーの外面に耳垂部がストッパとして形成されるとともに、前記冷却装置圧縮機の前記本体へ前記接続パッケージを着脱自在に結合するように該接続パッケージの外面に着脱自在クランプが設けられ、該着脱自在クランプが、該耳垂部により支持されるとともに、カバー・基部アセンブリの周囲に配置されたリム部材と、該リム部材の両端部に設けられた下方延出区分とを含み、該下方延出区分が、該着脱自在クランプが該圧縮機本体に結合されるように結合突起を端部に備えることを特徴とする請求項１または２記載の接続パッケージ。
【請求項７】
前記カバーの外面に耳垂部がストッパとして形成されるとともに、前記冷却装置圧縮機の前記本体へ前記接続パッケージを着脱自在に結合するように該接続パッケージの外面に着脱自在クランプが設けられ、該着脱自在クランプが、該耳垂部により支持されるとともに、カバー・基部アセンブリの周囲に配置されたリム部材と、該リム部材の両端部に設けられた下方延出区分とを含み、該下方延出区分が、該着脱自在クランプが該圧縮機本体に結合されるように結合突起を端部に備えることを特徴とする請求項３記載の接続パッケージ。
【請求項８】
前記カバーの外面に耳垂部がストッパとして形成されるとともに、前記冷却装置圧縮機の前記本体へ前記接続パッケージを着脱自在に結合するように該接続パッケージの外面に着脱自在クランプが設けられ、該着脱自在クランプが、該耳垂部により支持されるとともに、カバー・基部アセンブリの周囲に配置されたリム部材と、該リム部材の両端部に設けられた下方延出区分とを含み、該下方延出区分が、該着脱自在クランプが該圧縮機本体に結合されるように結合突起を端部に備えることを特徴とする請求項４記載の接続パッケージ。
【請求項９】
前記カバーの外面に耳垂部がストッパとして形成されるとともに、前記冷却装置圧縮機の前記本体へ前記接続パッケージを着脱自在に結合するように該接続パッケージの外面に着脱自在クランプが設けられ、該着脱自在クランプが、該耳垂部により支持されるとともに、カバー・基部アセンブリの周囲に配置されたリム部材と、該リム部材の両端部に設けられた下方延出区分とを含み、該下方延出区分が、該着脱自在クランプが該圧縮機本体に結合されるように結合突起を端部に備えることを特徴とする請求項５記載の接続パッケージ。
【請求項１０】
前記着脱自在クランプが前記接続パッケージと結合される時に前記カバーの外部接続端子スロットを遮蔽することにより該外部接続端子スロットへ水分が侵入することを防止するように前記リム部材の端部に設けられた遮蔽ルーフを該着脱自在クランプがさらに含むことを特徴とする請求項６記載の接続パッケージ。
【請求項１１】
前記接続パッケージを前記圧縮機本体へ着脱自在に結合するように、前記カバーの外面に一体的に形成された下方延出区分をさらに含むことを特徴とする請求項１または２記載の接続パッケージ。
【請求項１２】
前記接続パッケージを前記圧縮機本体へ着脱自在に結合するように、前記カバーの外面に一体的に形成された下方延出区分をさらに含むことを特徴とする請求項３記載の接続パッケージ。
【請求項１３】
前記接続パッケージを前記圧縮機本体へ着脱自在に結合するように、前記カバーの外面に一体的に形成された下方延出区分をさらに含むことを特徴とする請求項４記載の接続パッケージ。
【請求項１４】
記接続パッケージを前記圧縮機本体へ着脱自在に結合するように、前記カバーの外面に一体的に形成された下方延出区分をさらに含むことを特徴とする請求項５記載の接続パッケージ。
【請求項１５】
前記モータスタータ継電器素子の前記第１および第２ピンコネクタの一方と、前記過負荷保護装置の前記第１接続端子に接続された別のピンコネクタとが、モータの主要巻線区分に接続され、該モータスタータ継電器素子の該第１および第２ピンコネクタの他方が、該モータの補助巻線区分に接続され、該モータの該主要巻線区分に接続された該第１および第２ピンコネクタの一方が、前記カバーに形成された前記スロットを介して外部電源に接続される接続端子を備えることを特徴とする請求項１記載の接続パッケージ。
【請求項１６】
前記低出力過負荷保護装置が、底面区分と、側面区分と、該側面区分から延出するフランジと、導電性ハウジング容器の一端部から延出する接続端子とを有する導電性ハウジング容器と、該導電性ハウジング容器の該底面区分に固定される第１端部と、可動接点を備える第２端部とを有するバイメタル部材と、該導電性ハウジング容器の該フランジを囲繞するウィングカバーと、該バイメタル部材の移動経路である開口ウィンドウとを有する絶縁ガスケットと、相互に離間した第１および第２区分を有するとともに、固定接点と、プレートの一端部に設けられた接続端子と、該導電性ハウジング容器の該フランジと該絶縁ガスケットの該ウィングカバーとを一緒に固定するためプレートの両側に設けられたクランプウィングとを有するプレートと、該プレートの第１および第２区分にそれぞれ固定されて加熱素子として機能する第１および第２端部を有するコイルヒータとを含むことを特徴とする請求項１または２記載の接続パッケージ。
【請求項１７】
前記低出力過負荷保護装置が、底面区分と、側面区分と、該側面区分から延出するフランジと、導電性ハウジング容器の一端部から延出する接続端子とを有する導電性ハウジング容器と、該導電性ハウジング容器の該底面区分に固定される第１端部と、可動接点を備える第２端部とを有するバイメタル部材と、該導電性ハウジング容器の該フランジを囲繞するウィングカバーと、該バイメタル部材の移動経路である開口ウィンドウとを有する絶縁ガスケットと、相互に離間した第１および第２区分を有するとともに、固定接点と、プレートの一端部に設けられた接続端子と、該導電性ハウジング容器の該フランジと該絶縁ガスケットの該ウィングカバーとを一緒に固定するためプレートの両側に設けられたクランプウィングとを有するプレートと、該プレートの第１および第２区分にそれぞれ固定されて加熱素子として機能する第１および第２端部を有するコイルヒータとを含むことを特徴とする請求項３記載の接続パッケージ。
【請求項１８】
前記低出力過負荷保護装置が、底面区分と、側面区分と、該側面区分から延出するフランジと、導電性ハウジング容器の一端部から延出する接続端子とを有する導電性ハウジング容器と、該導電性ハウジング容器の該底面区分に固定される第１端部と、可動接点を備える第２端部とを有するバイメタル部材と、該導電性ハウジング容器の該フランジを囲繞するウィングカバーと、該バイメタル部材の移動経路である開口ウィンドウとを有する絶縁ガスケットと、相互に離間した第１および第２区分を有するとともに、固定接点と、プレートの一端部に設けられた接続端子と、該導電性ハウジング容器の該フランジと該絶縁ガスケットの該ウィングカバーとを一緒に固定するためプレートの両側に設けられたクランプウィングとを有するプレートと、該プレートの第１および第２区分にそれぞれ固定されて加熱素子として機能する第１および第２端部を有するコイルヒータとを含むことを特徴とする請求項４記載の接続パッケージ。
【請求項１９】
前記低出力過負荷保護装置が、底面区分と、側面区分と、該側面区分から延出するフランジと、導電性ハウジング容器の一端部から延出する接続端子とを有する導電性ハウジング容器と、該導電性ハウジング容器の該底面区分に固定される第１端部と、可動接点を備える第２端部とを有するバイメタル部材と、該導電性ハウジング容器の該フランジを囲繞するウィングカバーと、該バイメタル部材の移動経路である開口ウィンドウとを有する絶縁ガスケットと、相互に離間した第１および第２区分を有するとともに、固定接点と、プレートの一端部に設けられた接続端子と、該導電性ハウジング容器の該フランジと該絶縁ガスケットの該ウィングカバーとを一緒に固定するためプレートの両側に設けられたクランプウィングとを有するプレートと、該プレートの第１および第２区分にそれぞれ固定されて加熱素子として機能する第１および第２端部を有するコイルヒータとを含むことを特徴とする請求項５記載の接続パッケージ。
【請求項２０】
前記低出力過負荷保護装置が、底面区分と、側面区分と、該側面区分から延出するフランジと、導電性ハウジング容器の一端部から延出する接続端子とを有する導電性ハウジング容器と、該導電性ハウジング容器の該底面区分に固定される第１端部と、可動接点を備える第２端部とを有するバイメタル部材と、該導電性ハウジング容器の該フランジを囲繞するウィングカバーと、該バイメタル部材の移動経路である開口ウィンドウとを有する絶縁ガスケットと、相互に離間した第１および第２区分を有するとともに、間に中央穴を形成しながら該第１および第２区分に設けられた第１および第２突出棚区分と、固定接点と、プレートの一端部に設けられた接続端子と、該導電性ハウジングの該フランジと該絶縁ガスケットの該ウィングカバーとを一緒に固定するためプレートの両側に設けられたクランプウィングとを含むプレートと、該第１および第２棚区分により画定される凹部に収容される加熱素子として機能するとともに、セラミック基板と、電気接点区分が該棚区分と接触するように該セラミックプレートヒータ素子の両側に設けられた電気接点区分と、該電気接点区分の間に形成された電気加熱膜とを有するセラミックプレートヒータ素子と、該セラミックプレートヒータ素子を支持するための縦方向延出部分と、該プレートの該クランプウィングに固定されたクランプ屈曲区分を両側に備える横方向延出部分とを含むクランプばねとを含むことを特徴とする請求項１または２記載の接続パッケージ。
【請求項２１】
前記低出力過負荷保護装置が、底面区分と、側面区分と、該側面区分から延出するフランジと、導電性ハウジング容器の一端部から延出する接続端子とを有する導電性ハウジング容器と、該導電性ハウジング容器の該底面区分に固定される第１端部と、可動接点を備える第２端部とを有するバイメタル部材と、該導電性ハウジング容器の該フランジを囲繞するウィングカバーと、該バイメタル部材の移動経路である開口ウィンドウとを有する絶縁ガスケットと、相互に離間した第１および第２区分を有するとともに、間に中央穴を形成しながら該第１および第２区分に設けられた第１および第２突出棚区分と、固定接点と、プレートの一端部に設けられた接続端子と、該導電性ハウジングの該フランジと該絶縁ガスケットの該ウィングカバーとを一緒に固定するためプレートの両側に設けられたクランプウィングとを含むプレートと、該第１および第２棚区分により画定される凹部に収容されて加熱素子として機能するとともに、セラミック基板と、電気接点区分が該棚区分と接触するように該セラミックプレートヒータ素子の両側に設けられた電気接点区分と、該電気接点区分の間に形成された電気加熱膜とを有するセラミックプレートヒータ素子と、該セラミックプレートヒータ素子を支持するための縦方向延出部分と、該プレートの該クランプウィングに固定されたクランプ屈曲区分を両側に備える横方向延出部分とを含むクランプばねとを含むことを特徴とする請求項３記載の接続パッケージ。
【請求項２２】
前記低出力過負荷保護装置が、底面区分と、側面区分と、該側面区分から延出するフランジと、導電性ハウジング容器の一端部から延出する接続端子とを有する導電性ハウジング容器と、該導電性ハウジング容器の該底面区分に固定される第１端部と、可動接点を備える第２端部とを有するバイメタル部材と、該導電性ハウジング容器の該フランジを囲繞するウィングカバーと、該バイメタル部材の移動経路である開口ウィンドウとを有する絶縁ガスケットと、相互に離間した第１および第２区分を有するとともに、間に中央穴を形成しながら該第１および第２区分に設けられた第１および第２突出棚区分と、固定接点と、プレートの一端部に設けられた接続端子と、該導電性ハウジングの該フランジと該絶縁ガスケットの該ウィングカバーとを一緒に固定するためプレートの両側に設けられたクランプウィングとを含むプレートと、該第１および第２棚区分により画定される凹部に収容されて加熱素子として機能するとともに、セラミック基板と、電気接点区分が該棚区分と接触するように該セラミックプレートヒータ素子の両側に設けられた電気接点区分と、該電気接点区分の間に形成された電気加熱膜とを有するセラミックプレートヒータ素子と、該セラミックプレートヒータ素子を支持するための縦方向延出部分と、該プレートの該クランプウィングに固定されたクランプ屈曲区分を両側に備える横方向延出部分とを含むクランプばねとを含むことを特徴とする請求項４記載の接続パッケージ。
【請求項２３】
前記低出力過負荷保護装置が、底面区分と、側面区分と、該側面区分から延出するフランジと、導電性ハウジング容器の一端部から延出する接続端子とを有する導電性ハウジング容器と、該導電性ハウジング容器の該底面区分に固定される第１端部と、可動接点を備える第２端部とを有するバイメタル部材と、該導電性ハウジング容器の該フランジを囲繞するウィングカバーと、該バイメタル部材の移動経路である開口ウィンドウとを有する絶縁ガスケットと、相互に離間した第１および第２区分を有するとともに、間に中央穴を形成しながら該第１および第２区分に設けられた第１および第２突出棚区分と、固定接点と、プレートの一端部に設けられた接続端子と、該導電性ハウジングの該フランジと該絶縁ガスケットの該ウィングカバーとを一緒に固定するためプレートの両側に設けられたクランプウィングとを含むプレートと、該第１および第２棚区分により画定される凹部に収容されて加熱素子として機能するとともに、セラミック基板と、電気接点区分が該棚区分と接触するように該セラミックプレートヒータ素子の両側に設けられた電気接点区分と、該電気接点区分の間に形成された電気加熱膜とを有するセラミックプレートヒータ素子と、該セラミックプレートヒータ素子を支持するための縦方向延出部分と、該プレートの該クランプウィングに固定されたクランプ屈曲区分を両側に備える横方向延出部分とを含むクランプばねとを含むことを特徴とする請求項５記載の接続パッケージ。
【請求項２４】
前記基部の前記過負荷保護装置取付区分の一内壁に少なくとも２個のリブが形成されることを特徴とする請求項１記載の接続パッケージ。
【請求項２５】
前記基部の上方エッジの外側にフランジが形成されることを特徴とする請求項１記載の接続パッケージ。
【請求項２６】
前記モータスタータ継電器素子のＰＴＣスタータ素子を相互に対向するリブにより支持するように、該ＰＴＣスタータ素子の径方向外側において、前記基部の前記モータスタータ継電器素子取付区分の内壁にリブが形成されることを特徴とする請求項１記載の接続パッケージ。
【請求項２７】
対応するピンをピンソケットへ着脱自在に固定するためのピンソケットを、前記第１および第２ピンコネクタの各々が有することを特徴とする請求項１５記載の接続パッケージ。
【請求項２８】
導電性プレートが前記ＰＴＣスタータ素子の両側にそれぞれ面するように、該ＰＴＣスタータ素子の軸方向に配置された導電性プレートを前記モータスタータ継電器素子取付区分が備え、該ＰＴＣスタータ素子の対向面を弾性により支持するように、該導電性プレートの各々の片側に少なくとも２個の弾性接続部材が設けられることを特徴とする請求項２６記載の接続パッケージ。
【発明の詳細な説明】
【技術分野】
【０００１】
本発明は、概して冷却装置圧縮機の接続パッケージ、より詳しくは、モータスタータ継電器素子と低出力モータ過負荷保護装置とが取り付けられた状態で冷却装置圧縮機の本体に直接取り付けることのできる冷却装置圧縮機の接続パッケージに関連するものである。
【背景技術】
【０００２】
概して、冷却装置圧縮機の接続パッケージは、冷却装置圧縮機に使用されるＡＣモータを始動させるためのＰＴＣ（正温度係数）スタータ継電器素子を備える。ＰＴＣスタータ継電器素子の他に、過負荷からモータを保護するための過負荷保護装置、および／または、モータの効率を向上させるための駆動蓄電器（ＲＣ）とを接続パッケージに設けることができる。
【０００３】
しかし、接続パッケージを冷却装置圧縮機へ組み付ける時には、スタータ継電器素子と、過負荷保護装置と、必要であれば駆動蓄電器とを個々に配線しなければならない。このため、冷却装置圧縮機の外側部分に接続ワイヤと取付ブラケットとを設けなければならない。そのため、製品の構造が複雑であるばかりでなく、保守と修理の作業が困難となる一方で、組立の誤りを生じさせて品質と製品の生産性を低下させてしまう。
【０００４】
そのうえ、冷却装置圧縮機の本体に設けられた円形端子部へ接続パッケージを外側から結合する時には、水や雨水を含む水分が、接続パッケージと円形端子部との間に形成された間隙へ容易に侵入するため、接続パッケージと円形端子部との間の電気接続が不安定となる。そのうえ、接続パッケージから突出する接続端子が外部端子と接続される時には、印加される外部負荷により接続端子が過剰に押圧されるか屈曲することがある。
【発明の開示】
【発明が解決しようとする課題】
【０００５】
したがって、冷却装置圧縮機の動作が開始する時にモータが過負荷から保護される一方でモータの運転効率を向上し、接続パッケージが冷却装置圧縮機と結合される時に水と雨水とを含む水分が接続部へ浸入するのを防止できる一方で、接続パッケージを冷却装置圧縮機と結合する時に発生する負荷の影響を軽減し、接続パッケージが冷却装置圧縮機の本体へ安定的に接続されることにより、冷却装置圧縮機を安定的に作動させるような方法で、単一のパッケージを介して様々な素子の電気接続が容易に達成される、冷却装置圧縮機の接続パッケージを設けることが必要である。
【課題を解決するための手段】
【０００６】
本発明は、関連技術の制限および短所による１つ以上の問題をほぼ解消する冷却装置圧縮機の接続パッケージに関連する。
【０００７】
本発明の目的は、冷却装置圧縮機の動作が開始する時にモータが過負荷から保護される一方で、モータの運転効率を向上し、接続パッケージが冷却装置圧縮機と結合される時に水と雨水とを含む水分が接続部へ浸入するのを防止できる一方で、接続パッケージを冷却装置圧縮機と結合する時に発生する負荷の影響を軽減し、接続パッケージが冷却装置圧縮機の本体へ安定的に接続されることにより、冷却装置圧縮機を安定的に作動させるような方法で、単一のパッケージを介して様々な素子の電気接続が容易に達成される、冷却装置圧縮機の接続パッケージを設けることである。
【０００８】
本発明の付加的な長所と目的と特徴は、一部は以下の説明に記載され、一部は、以下を考察すれば当該技術の通常の技量を有するものには明らかとなるか、本発明の実施により理解されるだろう。本発明の目的と他の長所は、説明と請求項とさらに添付の図面に詳しく指摘された構造により実現および達成される。
【０００９】
これらの目的と、ここに具体化され、広く記載される本発明の目的に適った他の長所を達成するため、冷却装置圧縮機の接続パッケージが設けられ、かかる接続パッケージは、過負荷保護装置取付部とモータスタータ継電器素子取付部とを含むとともに、圧縮機本体の円形端子を介して圧縮機モータに接続される第１から第３のピン接続ポートを有する基部と、基部の上方部分へ着脱自在に結合され、基部の過負荷保護装置取付区分およびモータスタータ継電器素子取付区分に対応するドーム状過負荷保護装置取付区分とドーム状モータスタータ継電器素子取付区分とを含み、ドーム状過負荷保護装置取付区分とドーム状モータスタータ継電器素子取付区分との周囲に形成された端子接続のための複数のスロットを有するカバーと、基部およびカバーのモータスタータ継電器素子取付区分に取り付けられるとともに、基部の第１および第２ピン接続ポートに対応して配置された第１および第２ピンコネクタを有するモータスタータ継電器素子と、基部およびカバーの過負荷保護装置取付区分に取り付けられるとともに、基部の第３ピン接続ポートに対応して配置されたピンコネクタに接続される第１接続端子と、外部電源に接続される簡易コネクタに接続される第２接続端子と、低出力過負荷保護装置の反応時間を短縮するための加熱素子とを有する低出力過負荷保護装置を含む。
【００１０】
本発明の好適な実施例によれば、基部がカバーへ着脱自在に結合されるように、結合突起を有する下方延出部がカバーの両側に設けられ、カバーの結合突起と着脱自在に結合される結合スロットが基部の両側に形成される。
【００１１】
本発明の好適な実施例によれば、スロットから突出する接続端子を保護するように、カバーのスロットの周囲に保護ガイドが配列されている。
【００１２】
本発明の好適な実施例によれば、冷却装置圧縮機の本体に形成された円形端子に接続パッケージが接続される時に、冷却装置圧縮機の本体に形成された円形端子を保護するため、基部の下方部分には円形端子遮蔽カバーが形成されている。
【００１３】
本発明の好適な実施例によれば、接続パッケージを圧縮機本体へ着脱自在に結合するように、カバーの外面には下方延出区分が一体的に形成されている。
【００１４】
本発明の好適な実施例によれば、モータスタータ継電器素子の第１および第２ピンコネクタの一方と、過負荷保護装置の第１接続端子に接続された別のピンコネクタとは、モータの主要巻線部に接続され、モータスタータ継電器素子の第１および第２ピンコネクタの他方は、モータの補助巻線部に接続され、モータの主要巻線部に接続された第１および第２ピンコネクタの一方は、カバーに形成されたスロットを介して外部電源に接続される接続端子を備える。
【００１５】
本発明の好適な実施例によれば、低出力過負荷保護装置は、底面部と、側面部と、側面部から延出するフランジと、導電性ハウジング容器の一端部から延出する接続端子とを有する導電性ハウジング容器と、導電性ハウジング容器の底面部に固定された第１端部と、可動接点を備える第２端部とを有するバイメタル部材と、導電性ハウジング容器のフランジを囲繞するウィングカバーと、バイメタル部材の移動経路である開口ウィンドウとを有する絶縁ガスケットと、相互に離間した第１および第２区分を有し、固定接点と、プレートの一端部に設けられた接続端子と、導電性ハウジング容器のフランジと絶縁ガスケットのウィングカバーとを一緒に固定するためプレートの両側に設けられたクランプウィングとを有するプレートと、プレートの第１および第２区分にそれぞれ固定されて加熱素子として機能する第１および第２端部を有するコイルヒータとを含む。
【００１６】
本発明の好適な実施例によれば、低出力過負荷保護装置は、底面部と、側面部と、側面部から延出するフランジと、導電性ハウジング容器の一端部から延出する接続端子とを有する導電性ハウジング容器と、導電性ハウジング容器の底面部に固定された第１端部と可動接点を備える第２端部とを有するバイメタル部材と、導電性ハウジング容器のフランジを囲繞するウィングカバーと、バイメタル部材の移動経路である開口ウィンドウとを有する絶縁ガスケットと、相互に離間した第１および第２区分を有するとともに、間に中央穴を形成しながら第１および第２区分に設けられた第１および第２突出棚区分と、固定接点と、プレートの一端部に設けられた接続端子と、導電性ハウジング容器のフランジと絶縁ガスケットのウィングカバーとを一緒に固定するためプレートの両側に設けられたクランプウィングとを含むプレートと、第１および第２棚区分により画定される凹部に収容され、加熱素子として機能し、セラミック基板と、電気接点区分が棚区分と接触するようにセラミックプレートヒータ素子の両側に設けられた電気接点区分と、電気接点区分の間に形成された電気加熱膜とを有するセラミックプレートヒータ素子と、セラミックプレートヒータ素子を支持するための縦方向延出部分と、プレートのクランプウィングに固定されたクランプ屈曲区分を両側に備える横方向延出部分とを含むクランプばねとを含む。
【発明を実施するための最良の形態】
【００１７】
発明をさらに理解するために含まれるとともに、本発明にその一部として包含される添付図面は、本発明の実施例を図示しており、説明とともに本発明の原理を説明するためのものである。
【００１８】
以下、添付図面に例が図示された、本発明の好適な実施例による光学膜とその製造方法とこれを用いた液晶ディスプレイのバックライトユニットについて詳述する。可能な限り、同一または同様の部品に言及するのに、図面を通して同じ参照番号が使用される。
【００１９】
図1Aは、本発明の一実施例による冷却装置圧縮機の接続パッケージ１００Ａを示す斜視図であり、図１Bは、図１Aに示された接続パッケージ１００Ａの分解斜視図であり、図１Cと１Dは、モータスタータ継電器素子と過負荷保護装置と接続端子とが基部に組み込まれた、図１Bに示された接続パッケージ１００Ａの斜視図と平面図であり、図１Eは図１Dに示された基部の底面図である。
【００２０】
図１Aから１Eを参照すると、本発明の一実施例による冷却装置圧縮機の接続パッケージ１００Ａは、圧縮機本体に設けられた円形端子（図示せず）を介して圧縮機モータに接続される第１から第３ピン接続ポートＰＣ１からＰＣ３を有する基部１００と、基部１００の上方部分に着脱自在に結合されるカバー２００と、基部１００の第１および第２ピン接続ポートＰＣ１とＰＣ２に対応して配置された第１および第２ピンコネクタ３２５，３３５と、ＰＴＣ（正温度係数）スタータ素子３１０とを有するモータスタータ継電器素子３００と、低出力過負荷保護装置４００の反応時間を短縮するための加熱素子を有する低出力過負荷保護装置４００とを含む。
【００２１】
基部１００は、過負荷保護装置４００を取り付けるための過負荷保護装置取付区分１４０と、モータスタータ継電器素子取付区分１３０とを含む。さらに基部１００は、過負荷保護装置４００の両接続端子に接続される簡易コネクタＱＣとピンコネクタＰＣとを収容するための収容区分１００ＱＣと１００ＰＣとを有する。
【００２２】
基部１００をカバー２００へ結合するための結合スロット１５０ｂが、基部１００の両側に形成されている。結合スロット１５０ｂは、基部１００の両側に形成された凹部１５０と、凹部１５０の両側壁を接続する支持バー１５０ａとにより画定される。基部１００がカバー２００に結合されるように、カバー２００の下方延出部分２５０の端部に形成された結合突起２５０ａが結合スロット１５０ｂに挿入される。
【００２３】
基部１００の過負荷保護装置取付区分１４０とモータスタータ継電器素子取付区分１３０とに対応する、ドーム状過負荷保護装置取付区分２７０ｂとドーム状モータスタータ継電器素子取付区分２７０ａとがカバー２００に設けられる。ドーム状過負荷保護装置取付区分２７０ｂとドーム状モータスタータ継電器素子取付区分２７０ａの周囲には、接続端子のための複数のスロット２２１，２２３，２３１，２３３と２００ＱＣが形成されている。
【００２４】
基部１００がカバー２００に結合されると、モータスタータ継電器素子３００と過負荷保護装置４００は、基部１００およびカバー２００のモータスタータ継電器素子取付区分１３０，２７０ａと過負荷保護装置取付区分１４０，２７０ｂに組み付けられる。
【００２５】
モータスタータ継電器素子３００はモータの運転を開始させるために設けられ、基部１００の中央に形成された凹部に組み付けられるディスク形状のＰＴＣスタータ素子３１０と、ディスク状ＰＴＣスタータ素子３１０の両側に相互に対向して設けられた矩形の導電性プレート３２０，３３０と、Ｕ形状を有する弾性接続部材３４０とを含む。矩形導電性プレート３２０，３３０がディスク状ＰＴＣスタータ素子３１０に電気接続されるように、弾性接続部材３４０の自由端部はディスク状ＰＴＣスタータ素子３１０と弾性により接触し、弾性接続部材３４０の閉端部は矩形導電性プレート３２０，３３０に固定されている。
【００２６】
モータの主要巻線区分と補助巻線区分とに相互に平行に接続された第１および第２ピンコネクタ３２５，３３５が、矩形導電性プレート３２０，３３０にそれぞれ設けられている。例えば、ピンコネクタ３２５，３３５は、ジャンパを介して駆動蓄電器（図示せず）に接続されている。そのうえ矩形導電性プレート３２０，３３０は、矩形導電性プレート３２０，３３０を外部装置へ接続するための接続端子３２１，３２３，３３１，３３３を含む。
【００２７】
過負荷保護装置４００を振動または熱から保護するように、基部１００の過負荷保護装置取付区分１４０の一内壁には、少なくとも２個のリブ１４０ａが形成されることが望ましい（図１Bと図１C参照）。
【００２８】
モータスタータ継電器素子３００のＰＴＣスタータ素子３１０を相互に対向するリブ１３０ａで支持するように、ＰＴＣスタータ素子３１０の径方向外側において、基部１００のモータスタータ継電器素子取付区分１３０の内壁にはリブ１３０ａが形成されることが望ましい（図１C参照）。
【００２９】
第１および第２ピンコネクタ３２５，３３５の各々は、対応するピンをピンソケット３２５ａ，３３５ａに着脱自在に固定するためのピンソケット３２５ａ，３３５ａを有する（図１C，図１D参照）。
【００３０】
本発明の冷却装置圧縮機の接続パッケージに取り付けられる過負荷保護装置４００は、ヒータが収容された低出力過負荷保護装置である。過負荷保護装置４００に過負荷が印加されると、ヒータが熱を発生するため、過負荷保護装置４００の温度がすぐに動作温度に達することにより、出力消費量を抑えるとともに、過負荷保護装置４００の信頼性と安定性を実現する。
【００３１】
本発明による接続パッケージは、様々な過負荷保護装置を使用してもよい。このような過負荷保護装置の１つは、図３A，３Bに見られるコイルヒータタイプの過負荷保護装置である。
【００３２】
図３A，３Bに見られる低出力過負荷保護装置４００は、底面区分と、側面区分と、側面区分から延出するフランジ４１３と、導電性ハウジング容器４１０の一端部から延出する接続端子４１５とを有する導電性ハウジング容器４１０と、導電性ハウジング容器４１０の底面区分に固定される第１端部と、可動接点を備える第２端部とを有するバイメタル部材４２０と、導電性ハウジング容器４１０のフランジ４１３を囲繞するウィングカバー４３０ｂと、バイメタル部材４２０の移動経路である開口ウィンドウ４３０ａとを有する絶縁ガスケット４３０と、スペース区分４５１を挟んで相互に離間した第１および第２区分４５３ａ，４５３ｂを有するとともに、固定接点４４５と、プレート４５０の一端部に設けられた接続端子４５５と、導電性ハウジング容器４１０のフランジ４１３と絶縁ガスケット４３０のウィングカバー４３０ｂとを一緒に固定するためプレート４５０の両側に設けられたクランプウィング４５３ａ´，４５３ｂ´とを含むプレート４５０と、プレート４５０の第１および第２区分４５３ａ，４５３ｂにそれぞれ固定されて加熱素子として機能する第１および第２端部４４０ａ，４４０ｂを有するコイルヒータ４４０とを含む。
【００３３】
正常動作時には、プレート４５０の一端部に設けられた接続端子４５５と、プレート４５０の第１および第２区分４５３ａ，４５３ｂの間に接続されたコイルヒータ４４０と、プレート４５０の固定接点４４５と、バイメタル部材４２０と、導電性ハウジング容器４１０の接続端子４１５とは、回路を介して電気接続されている。過負荷が印加されると、コイルヒータ４４０が熱を発生するため、バイメタル部材４２０の反応時間を短縮できる。この時、バイメタル部材４２０が固定接点から分離されるように、バイメタル部材４２０はスナップ動作を行う。ゆえに上記の素子の回路接続が切断されるため、回路へ供給される出力は遮断される。
【００３４】
プレート４５０は、コイルヒータ４４０を収容するためのドーム状収容空洞４５４を含む。
【００３５】
そのうえ、本発明の接続パッケージは、上記のコイルヒータタイプの過負荷保護装置とは異なる過負荷保護装置を使用してもよい。例えば、「低出力モータ過負荷保護装置」という名称の米国特許願第１０／７２７，２９７号およびその継続出願に開示された過負荷保護装置を、本発明の接続パッケージに使用できる。
【００３６】
上記の低出力過負荷保護装置は、図４A，４Bに参照番号４００´で示されている。
【００３７】
図４A，４Bに見られるように、低出力過負荷保護装置４００´は、底面区分と、側面区分と、側面区分から延出するフランジ４１３と、導電性ハウジング容器４１０の一端部から延出する接続端子４１５とを有する導電性ハウジング容器４１０と、導電性ハウジング容器４１０の底面区分に固定された第１端部と、可動接点を備える第２端部とを有するバイメタル部材４２０と、導電性ハウジング容器４１０のフランジ４１３を囲繞するウィングカバー４３０ｂと、バイメタル部材４２０の移動経路である開口ウィンドウ４３０ａとを有する絶縁ガスケット４３０と、スペース区分４５１を挟んで相互に離間した第１および第２区分４５３ａ，４５３ｂを有するとともに、間に中央穴４５４ｃを形成しながら第１および第２区分４５３ａ，４５３ｂに設けられた第１および第２突出棚区分４５４ａ，４５４ｂと、固定端子４４５と、プレート４５０´の一端部に設けられた接続端子４５５と、導電性ハウジング容器４１０のフランジ４１３と絶縁ガスケット４３０のウィングカバー４３０ｂとを一緒に固定するためにプレート４５０の両側に設けられたクランプウィング４５３ａ´，４５３ｂ´とを含むプレート４５０´と、第１および第２棚区分４５４ａ，４５４ｂにより画定される凹部に収容されて加熱素子として機能するとともに、セラミック基板と、棚区分４５４ａ，４５４ｂと電気接点区分４６５ａ，４６５ｂの間に形成された電気加熱フィルム４６５ｃとを接触させるように、セラミックプレートヒータ素子４６０の両側に設けられた電気接点区分４６５ａ，４６５ｂと、セラミックプレートヒータ素子４６０を支持するための縦方向延出部分４７０ａと、プレート４５０´のクランプウィング４５３ｂに固定されたクランプ屈曲区分４７０ｂ´を両側に備える横方向延出部分４７０ｂとを含むクランプばね４７０とを有するセラミックプレートヒータ素子４６０とを含む。
【００３８】
正常動作中には、プレート４５０´の一端部に設けられた接続端子４５５と、プレート４５０´の第１および第２棚区分４５４ａ，４５４ｂの間に接続されたセラミックプレートヒータ素子４６０と、プレート４５０´の固定接点４４５と、バイメタル部材４２０と、導電性ハウジング容器４１０の接続端子４１５とは、回路を介して電気接続されている。過負荷が印加されると、セラミックプレートヒータ素子４６０の加熱膜４６５ｃが熱を発生するため、バイメタル部材４２０の反応時間を短縮できる。この時、バイメタル部材４２０が固定接点から分離されるように、バイメタル部材４２０はスナップ動作を行う。ゆえに上記素子の回路接続が切断されるため、回路へ供給される出力を遮断できる。
【００３９】
基部１００の第３ピン接続ポートＰＣ３に対応して配置されたピンコネクタＰＣと、外部電源に接続された簡易コネクタＱＣとは、上記の過負荷保護装置４００，４００´の両接続端子４２５，４５５にそれぞれ接続されている。
【００４０】
簡易コネクタＱＣとピンコネクタＰＣの構造が、図５A，５Bに示されている。
【００４１】
図５A，５Bを参照すると、簡易コネクタＱＣは、過負荷保護装置の接続端子（例えば接続端子４５５）に固定される固定区分１０Ｑと、下方延出区分２０Ｑと、簡易端子３０Ｑと、下方延出区分２０Ｑを簡易端子３０Ｑの下方部分へ接続するための接続区分２５Ｑとを含む。
【００４２】
さらに、ピンコネクタＰＣは、過負荷保護装置の接続端子（例えば接続端子４１５）に固定される固定区分１０Ｐと、下方延出区分２０Ｐと、ピン端子３０Ｐとを含む。
【００４３】
このようなピンコネクタと簡易コネクタとは、過負荷保護装置の接続端子に接続されるため、過負荷保護装置の位置と接続端子の方向とに応じてピンコネクタと簡易コネクタの構造を変えてもよい。ピンコネクタと簡易コネクタの構造が変更される場合には、ピンコネクタと簡易コネクタのための基部の収容区分も、ピンコネクタおよび簡易コネクタの構造に対応して変更される。
【００４４】
図６A〜６Cは、過負荷保護装置の接続端子の位置に応じた簡易コネクタおよびピンコネクタの構造と、簡易コネクタおよびピンコネクタの構造に対応した簡易コネクタおよびピンコネクタのための基部の収容区分の構造とを示す。
【００４５】
図６A〜６Cを参照すると、ピンコネクタＰＣ´は、過負荷保護装置の接続端子（例えば接続端子４１５）に固定される固定区分１０ＰＣ´と、水平方向延出区分２０ＰＣ´と、ピン端子３０ＰＣ´とを含む。ピンコネクタＰＣ´は、水平方向延出区分２０ＰＣ´を除いて、図５Bに示されたピンコネクタＰＣとほぼ同一である。
【００４６】
さらに簡易コネクタＱＣ´は、過負荷保護装置の接続端子（例えば接続端子４５５）に固定される固定区分１０ＱＣ´と、水平方向延出区分２０ＱＣ´と、簡易端子３０ＱＣ´とを含む。図５Aに示された簡易コネクタの接続区分２５Ｑのように作用する水平方向延出区分２０ＱＣ´を除いて、簡易コネクタＱＣ´は、図５ａに示された簡易コネクタＱＣとほぼ同一である。
【００４７】
ピンコネクタＰＣ´と簡易コネクタＱＣ´とを収容するための基部１００”の収容区分の構造は、ピンコネクタＰＣ´および簡易コネクタＱＣ´の構造に対応して変更しなければならない。
【００４８】
本発明の別の実施例によれば、図２A〜２Cに示されたように、接続パッケージの基部とカバーの構造を変更することも可能である。
【００４９】
図２A〜２Cに見られるように、接続パッケージ１００Ｂは、カバーと基部の構造を除いて、図１A〜１Eに見られる接続パッケージ１００Ａとほぼ同一である。
【００５０】
図１A〜１Eに見られる接続パッケージ２００Ａのカバー２００とは異なり、接続パッケージ１００Ｂのカバー２００´はさらに、スロット保護通路２２１´，２２３´，２３１´，２３３´と２００ＱＣ´によりスロット２２１，２３１，２３３，２００ＱＣが保護されるように、スロット２２１，２３１，２３３，２００ＱＣから突出する接続端子３２１，３２３，３３１，３３３を保護するための保護ガイドを含む。
【００５１】
また、接続パッケージ１００Ｂの基部１００´はさらに、冷却装置圧縮機の本体に設けられた円形端子に接続パッケージ１００Ｂが接続される時に円形端子を保護するため、基部１００´の下方部分に形成された円形端子遮蔽カバー１７０を含む。
【００５２】
したがって、冷却装置圧縮機の本体に設けられた円形端子へ水分または不純物が侵入することが円形端子遮蔽カバー１７０によって防止されることにより、接続パッケージの安定性と作業者の安全性が保証される。
【００５３】
排水絶縁を確実に行うように、または接続パッケージ１００Ｂへの異物の侵入を防止するように基部１００´の上方エッジの外側には、フランジ１００´ａが形成されることが望ましい（図２A，図２B参照）。
【００５４】
本発明の別の実施例によれば、接続パッケージ１００Ａ，１００Ｂの基部１００，１００´を、接続パッケージ１００Ａ，１００Ｂのカバー２００，２００´とともに組み立てることができる。
【００５５】
例えば、図２A〜２Cに示された接続パッケージ１００Ｂのカバー２００´または基部１００´を、図１A〜１Eに示された接続パッケージ１００Ａに使用することができる。
【００５６】
ところで、図７に見られるように、本発明の接続パッケージ１００Ａまたは１００Ｂの外面に、着脱自在クランプをさらに設けることができる。つまり、冷却装置圧縮機の本体の結合区分、例えば穴を有する垂直壁フェンスへ冷却装置圧縮機の接続パッケージを着脱自在に結合するように、カバーの外面に着脱自在クランプが設けられるのである。
【００５７】
このような着脱自在クランプ５００は、基部１００とカバー２００´とのアセンブリの周囲に配置されたリム部材と、リム部材の両端部に設けられた下方延出区分５１０ａ，５１０ｂとを含む。着脱自在クランプ５００が圧縮機本体の結合区分と結合されるように、下方延出区分５１０ａ，５１０ｂはその端部に結合突起５１０ａ´，５１０ｂ´を備える。すなわち、結合突起５１０ａ´，５１０ｂ´が垂直壁フェンスの穴に挿入されるのである。
【００５８】
着脱自在クランプ５００はさらに、着脱自在クランプ５００が接続パッケージと結合される時に外部接続端子スロットを遮蔽することより外部接続端子スロットへ水分が侵入することを防止する遮蔽ルーフを、リム部材の端部に備えることができる。
【００５９】
接続パッケージが着脱自在クランプ５００を備える場合には、着脱自在クランプ５００の移動を制限するためのストッパとして、耳垂部２９０をカバーの外面に設けることができる。
【００６０】
着脱自在クランプ５００を使用せずに、下方延出区分をカバーの外面と一体的に形成することも可能である。このような構造は概して当該技術で周知である。
【００６１】
本発明の着脱自在クランプまたは一体的クランプを使用する接続パッケージによれば、本発明の様々な実施例によるカバーおよび基部を使用時に相互に組み立てることができる。
【００６２】
上述したように、本発明の冷却装置圧縮機の接続パッケージによれば、冷却装置圧縮機の動作が開始する時にモータが過負荷から保護される一方で、モータの運転効率を向上し、接続パッケージが冷却装置圧縮機と結合される時に、水と雨水とを含む水分が接続部へ浸入することを防止できる一方で、接続パッケージを冷却装置圧縮機と結合する時に発生する過負荷の影響を軽減し、接続パッケージが冷却装置圧縮機の本体に安定して接続されることにより、冷却装置圧縮機を安定的に作動させるような方法で、様々な素子の電気接続が１つのパッケージを介して容易に達成される。
【００６３】
上述した実施例は単なる例であり、本発明を制限するものと解釈されるべきではない。本教示は、他のタイプの装置にも簡単に適用できる。本発明の説明は例示的であって、請求項の範囲を制限しないものとする。当該技術の熟練者には、多くの代替物、変形、変更が明らかであろう。
【図面の簡単な説明】
【００６４】
【図１Ａ】本発明の一実施例による冷却装置圧縮機の接続パッケージを示す斜視図である。
【図１Ｂ】図１Aに示された冷却装置圧縮機の接続パッケージを示す分解斜視図である。
【図１Ｃ】図１Bに示された接続パッケージの斜視図であり、モータスタータ継電器素子と過負荷保護装置と接続端子とが基部に組み込まれている。
【図１Ｄ】図１Bに示された接続パッケージの平面図であり、モータスタータ継電器素子と過負荷保護装置と接続端子とが基部に組み込まれている。
【図１Ｅ】図１Dに示された基部の底面図である。
【図２Ａ】本発明の別の実施例による冷却装置圧縮機の接続パッケージを示す斜視図である。
【図２Ｂ】図２Aに示された接続パッケージの分解斜視図である。
【図２Ｃ】図２Aに示された冷却装置圧縮機の接続パッケージを基部から見た状態で示す斜視図である。
【図３Ａ】本発明の一実施例による冷却装置圧縮機の接続パッケージに取り付けられるコイルヒータタイプの過負荷保護装置を示す斜視図である。
【図３Ｂ】図３Aに示されたコイルヒータタイプの過負荷保護装置を示す分解斜視図である。
【図４Ａ】本発明の別の実施例による冷却装置圧縮機の接続パッケージに取り付けられるセラミックヒータタイプの過負荷保護装置を示す分解斜視図である。
【図４Ｂ】図４Aに示されたセラミックヒータタイプの過負荷保護装置を示す分解斜視図である。
【図５Ａ】本発明の一実施例による、図３，４Aに示された過負荷保護装置の接続端子に接続される簡易コネクタとピンコネクタとを示す斜視図である。
【図５Ｂ】本発明の一実施例による、図３，４Aに示された過負荷保護装置の接続端子に接続される簡易コネクタとピンコネクタとを示す斜視図である。
【図６Ａ】過負荷保護装置の接続端子の位置に応じた簡易コネクタおよびピンコネクタの構造を示す図である。
【図６Ｂ】簡易コネクタおよびピンコネクタの構造に応じた簡易コネクタおよびピンコネクタのための基部の収容区分の構造を示す図である。
【図６Ｃ】図５Bに示されたピンコネクタＰＣとほぼ同一である構造を示す図である。
【図７】接続パッケージを示す斜視図であり、接続パッケージを冷却装置圧縮機の本体に固定するため、さらに着脱自在クランプが接続パッケージに組み付けられている。
【符号の説明】
【００６５】
ＰＣ；ＰＣ´  ピンコネクタ
ＰＣ１  第１ピン接続ポート
ＰＣ２  第２ピン接続ポート
ＰＣ３  第３ピン接続ポート
ＱＣ；ＱＣ´  簡易コネクタ
１０Ｐ；１０ＰＣ´  固定区分
１０Ｑ；１０ＱＣ´  固定区分
２０Ｐ  下方延出区分
２０ＰＣ´  水平方向延出区分
２０Ｑ  下方延出区分
２０ＱＣ´  水平方向延出区分
２５Ｑ  接続区分
３０Ｐ；３０ＰＣ´  ピン端子
３０Ｑ；３０ＱＣ´  簡易端子
１００Ａ，１００Ｂ  接続パッケージ
１００；１００´；１００”  基部
１００´ａ  フランジ
１００ＰＣ  収容区分
１００ＱＣ  収容区分
１３０  モータスタータ継電器素子取付区分
１３０ａ，１４０ａ  リブ
１４０  過負荷保護装置取付区分
１５０  凹部
１５０ａ  支持バー
１５０ｂ  結合スロット
１７０  円形端子遮蔽カバー
２００；２００´  カバー
２００ＱＣ  スロット
２２１，２３１，２２３，２３３  スロット
２２１´，２３１´，２２３´，２３３´，２００ＱＣ´  スロット
２５０  下方延出部分
２５０ａ  結合突起
２７０ａ  モータスタータ継電器素子取付区分
２７０ｂ  過負荷保護装置取付区分
２９０  耳垂部
３００  モータスタータ継電器素子
３１０  ＰＴＣスタータ素子
３２０，３３０  導電性プレート
３２１，３２３，３３１，３３３  接続端子
３２５  第１ピンコネクタ
３２５ａ  ピンソケット
３３３  接続端子
３３５  第２ピンコネクタ
３３５ａ  ピンソケット
４００；４００´  低出力過負荷保護装置  
４１０  ハウジング容器
４１３  フランジ
４１５  接続端子
４２０  バイメタル部材
４３０  ガスケット
４３０ａ  開口ウィンドウ
４３０ｂ  ウィングカバー
４４０  コイルヒータ
４４０ａ  第１端部
４４０ｂ  第２端部
４４５  固定接点
４５０；４５０´  プレート
４５１  スペース区分
４５３ａ  第１区分
４５３ｂ  第２区分
４５３ａ´，４５３ｂ´  クランプウィング
４５４  収容空洞
４５４ａ  第１突出棚区分
４５４ｂ  第２突出棚区分
４５４ｃ  中央穴
４５５  接続端子
４６０  セラミックプレートヒータ素子
４６５ａ，４６５ｂ，４６５ｃ  電気接点区分
４７０  クランプばね
４７０ａ  縦方向延出部分
４７０ｂ  横方向延出部分
４７０ｂ´  クランプ屈曲区分
５００  着脱自在クランプ
５１０ａ，５１０ｂ  下方延出区分
５１０ａ´，５１０ｂ´  結合突起
【図１Ａ】
2006147529.tif 000003
【図１Ｂ】
2006147529.tif 000004
【図１Ｃ】
2006147529.tif 000005
【図１Ｄ】
2006147529.tif 000006
【図１Ｅ】
2006147529.tif 000007
【図２Ａ】
2006147529.tif 000008
【図２Ｂ】
2006147529.tif 000009
【図２Ｃ】
2006147529.tif 000010
【図３Ａ】
2006147529.tif 000011
【図３Ｂ】
2006147529.tif 000012
【図４Ａ】
2006147529.tif 000013
【図４Ｂ】
2006147529.tif 000014
【図５Ａ】
2006147529.tif 000015
【図５Ｂ】
2006147529.tif 000016
【図６Ａ】
2006147529.tif 000017
【図６Ｂ】
2006147529.tif 000018
【図６Ｃ】
2006147529.tif 000019
【図７】
2006147529.tif 000020
【外国語明細書】
2006147529000001.pdf